(57)【要約】  消音器および前記消音器のメンテナンス方法を提供する。消音器は、騒音発生部に結合する中空型ハウジングと、前記ハウジングの内部に配置され、前記ハウジングの長さ方向に延びる吸音装置を含み、前記吸音装置は、前記ハウジングの長さ方向に相互結合され、騒音を低減させる複数の吸音ユニットを含む。
2019534414.tif 000002
【特許請求の範囲】
【請求項１】
騒音発生部に結合する中空型ハウジングと、
前記ハウジングの内部に配置され、前記ハウジングの長さ方向に延びる吸音装置とを含み、
前記吸音装置は、前記ハウジングの長さ方向に相互結合され、騒音を低減させる複数の吸音ユニットを含む、消音器。
【請求項２】
前記騒音発生部は、配管を含む、請求項１に記載の消音器。
【請求項３】
前記吸音ユニットは、ヘルムホルツ共鳴を用いて騒音を低減させる、請求項１に記載の消音器。
【請求項４】
前記吸音ユニットは、隣り合う他の吸音ユニットとフランジ結合する、請求項３に記載の消音器。
【請求項５】
前記吸音ユニットは、前記ハウジングの横断面上に円周方向に互いに隣り合って相互結合するヘルムホルツ共鳴器を含む、請求項３に記載の消音器。
【請求項６】
前記ヘルムホルツ共鳴器の内側面には吸音材が形成される、請求項５に記載の消音器。
【請求項７】
前記吸音ユニットは、隣り合う他の吸音ユニットと同一であるか他の音域帯の騒音を低減させる、請求項３に記載の消音器。
【請求項８】
前記吸音装置の前端および後端にはそれぞれ角形状のガイド部材が備えられる、請求項３に記載の消音器。
【請求項９】
前記ハウジングの内側面には吸音材が形成される、請求項３に記載の消音器。
【請求項１０】
前記ハウジングの内側面に沿って形成されたサイドブランチ共鳴器をさらに含む、請求項１に記載の消音器。
【請求項１１】
前記吸音装置を対向する前記サイドブランチ共鳴器の一側面には吸音材が形成される、請求項１０に記載の消音器。
【請求項１２】
前記吸音ユニットは、隔壁で分割された複数の共鳴空間を含み、前記吸音ユニットの外周面には前記共鳴空間と外部とを連通する共鳴穴が形成される、請求項１に記載の消音器。
【請求項１３】
前記騒音発生部はダクトを含み、前記ダクトは、前記ハウジングに連通される少なくとも一つのマンホールを含む、請求項１に記載の消音器。
【請求項１４】
前記ダクトは、前記ハウジングの上部と下部にそれぞれ連結される上部ダクトおよび下部ダクトを含み、前記マンホールは、前記上部ダクトと前記下部ダクトにそれぞれ形成される、請求項１２に記載の消音器。
【請求項１５】
前記吸音装置の両断部にそれぞれ付着した緩衝部材をさらに含む、請求項１に記載の消音器。
【請求項１６】
ダクトに連通される中空型ハウジングと、
前記ハウジングの内部に備えられ、前記ハウジングの内部に流入する騒音のうち特定周波数を有する騒音の逆位相音を発生させて前記騒音を低減させる吸音装置とを含み、
前記吸音装置は、
中空型のシリンダーと、
前記シリンダーの内部空間のうち前記特定周波数を有する騒音の逆位相音を発生させるための位置に配置され、前記シリンダーの内部に流入した音波を反射させて前記逆位相音を発生させる反射板とを含む、消音器。
【請求項１７】
前記吸音装置は、
前記シリンダーの一側開放面を密閉する密閉型キャップと、
前記シリンダーの他の一側開放面に離隔して配置される開放型キャップとをさらに含む、請求項１６に記載の消音器。
【請求項１８】
前記逆位相音の周波数を調節する調節装置と、
前記反射板に連結された位置調節ロードをさらに含み、
前記調節装置は、前記位置調節ロードに力を加えて前記シリンダー内部での前記反射板の位置を調節する、請求項１７に記載の消音器。
【請求項１９】
前記位置調節ロードはラックギヤを含み、前記調節装置はピニオンギヤを含む、請求項１８に記載の消音器。
【請求項２０】
前記吸音装置は、
中空型のシリンダーと、
前記シリンダーの両側開放面に離隔して配置される第１および第２開放型キャップと、
前記シリンダーの内部に備えられ、前記シリンダーの内部に流入した音波を反射させる第１および第２反射板とを含む、請求項１６に記載の消音器。
【請求項２１】
中空型ハウジングの上部と下部にそれぞれ連結される上部ダクトと下部ダクトにそれぞれ形成された上部マンホールと下部マンホールが開放される段階と、
前記上部マンホールを介して前記ハウジングの内部に設けられ、前記ハウジングの長さ方向に形成された吸音装置にウィンチが連結される段階と、
前記吸音装置と前記ハウジングが分離される段階と、
前記吸音装置が下降する段階と、
前記下部マンホールを介して前記吸音装置が補修される段階とを含む、消音器のメンテナンス方法。
【請求項２２】
前記吸音装置は、前記ハウジングの長さ方向に互いに連結された複数の吸音ユニットを含む、請求項２１に記載の消音器のメンテナンス方法。
【請求項２３】
前記吸音ユニットが分離され、前記下部マンホールを介して排出される段階をさらに含む、請求項２２に記載の消音器のメンテナンス方法。
【発明の詳細な説明】
【技術分野】
【０００１】
本発明は、消音器および前記消音器のメンテナンス方法に関する。
【背景技術】
【０００２】
ＨＶＡＣ（Ｈｅａｔｉｎｇ，Ｖｅｎｔｉｌａｔｉｏｎ，Ａｉｒ  Ｃｏｎｄｉｔｉｏｎｉｎｇ）ダクトは、暖房、換気および冷房のための流体移送に用いることができる。ダクトを介して流体を移送させることによって、特定空間に流体を流入させたり該当空間で流体を流出させることができる。
【０００３】
ダクトには流体移送のために送風機が設けられ、送風機で発生した騒音はダクト内の流体を介して伝達される。このために多様な騒音低減手段がダクトに設けられる。ダクトと同様にディーゼルエンジンは、エンジン点火によって爆発音が排気管内の流体により伝達される。
【０００４】
図１は通常のエンジンの排気管騒音を示す図である。図１を参照すれば、排気管騒音は、高周波領域に比べて低周波領域で支配的に現れる。
【０００５】
従来のエンジン排気管消音器は、中空型シリンダーの内側に吸音材が塗布されたり吸音バッフルが設けられる構造を有する。このような構造を有する従来の排気管消音器は、図１の高周波領域の騒音低減に効果的であるが、低周波領域の騒音低減には脆弱であった。
【発明の概要】
【発明が解決しようとする課題】
【０００６】
本発明が解決しようとする課題は、騒音低減装置を提供することにある。
【０００７】
本発明の課題は、以上で言及した課題に制限されず、言及されていないまた他の課題は、以下の記載から当業者に明確に理解されるであろう。
【課題を解決するための手段】
【０００８】
前記課題を達成するために、本発明の一実施形態による消音器の一態様（ａｓｐｅｃｔ）は、騒音発生部に結合する中空型ハウジング、および前記ハウジングの内部に配置され、前記ハウジングの長さ方向に延びる吸音装置を含み、前記吸音装置は、前記ハウジングの長さ方向に相互結合され、騒音を低減させる複数の吸音ユニットを含む。
【０００９】
前記騒音発生部は、配管を含む。
【００１０】
前記吸音ユニットは、ヘルムホルツ共鳴を用いて騒音を低減させる。
【００１１】
前記吸音ユニットは、隣り合う他の吸音ユニットとフランジ結合する。
【００１２】
前記吸音ユニットは、前記ハウジングの横断面上に円周方向に互いに隣り合って相互結合するヘルムホルツ共鳴器を含む。
【００１３】
前記ヘルムホルツ共鳴器の内側面には吸音材が形成される。
【００１４】
前記吸音ユニットは、隣り合う他の吸音ユニットと同一であるか他の音域帯の騒音を低減させる。
【００１５】
前記吸音装置の前端および後端にはそれぞれ角形状のガイド部材が備えられる。
【００１６】
前記ハウジングの内側面には吸音材が形成される。
【００１７】
前記吸音ユニットは、隔壁で分割された複数の共鳴空間を含み、前記吸音ユニットの外周面には前記共鳴空間と外部とを連通する共鳴穴が形成される。
【００１８】
前記騒音発生部はダクトを含み、前記ダクトは前記ハウジングに連通される少なくとも一つのマンホールを含む。
【００１９】
前記ダクトは、前記ハウジングの上部と下部にそれぞれ連結される上部ダクトおよび下部ダクトを含み、前記マンホールは、前記上部ダクトと前記下部ダクトにそれぞれ形成される。
【００２０】
前記吸音装置の両断部にそれぞれ付着した緩衝部材をさらに含む。
【００２１】
本発明の他の実施形態による消音器の一態様（ａｓｐｅｃｔ）は、ダクトに連通される中空型ハウジングと、前記ハウジングの内部に備えられ、前記ハウジングの内部に流入する騒音のうち特定周波数を有する騒音の逆位相音を発生させて前記騒音を低減させる吸音装置、および前記逆位相音の周波数を調節する調節装置を含む。
【００２２】
前記吸音装置は、中空型のシリンダーと、前記シリンダーの一側開放面を密閉する密閉型キャップと、前記シリンダーの他の一側開放面に離隔して配置される開放型キャップ、および前記シリンダーの内部に備えられ、前記シリンダーの内部に流入した音波を反射させる反射板を含む。
【００２３】
前記反射板に連結された位置調節ロードをさらに含み、前記調節装置は、前記位置調節ロードに力を加え、前記シリンダー内部での前記反射板の位置を調節する。
【００２４】
前記位置調節ロードはラックギヤを含み、前記調節装置はピニオンギヤを含む。
【００２５】
前記吸音装置は、中空型のシリンダーと、前記シリンダーの両側開放面に離隔して配置される第１および第２開放型キャップ、および前記シリンダーの内部に備えられ、前記シリンダーの内部に流入した音波を反射させる第１および第２反射板を含む。
【００２６】
本発明の一実施形態による消音器のメンテナンス方法の一態様（ａｓｐｅｃｔ）は、中空型ハウジングの上部と下部にそれぞれ連結される上部ダクトと下部ダクトにそれぞれ形成された上部マンホールと下部マンホールが開放される段階と、前記上部マンホールを介して前記ハウジングの内部に設けられ、前記ハウジングの長さ方向に形成された吸音装置にウィンチが連結される段階と、前記吸音装置と前記ハウジングが分離される段階と、前記吸音装置が下降する段階、および前記下部マンホールを介して前記吸音装置が補修される段階を含む。
【００２７】
前記吸音装置は、前記ハウジングの長さ方向に互いに連結された複数の吸音ユニットを含む。
【００２８】
前記消音器のメンテナンス方法は、前記吸音ユニットが分離して前記下部マンホールを介して排出される段階をさらに含む。
【００２９】
その他実施形態の具体的な内容は、詳細な説明および図面に含まれている。
【図面の簡単な説明】
【００３０】
【図１】通常のエンジンの排気管騒音を示す図である。
【図２】本発明の一実施形態による消音器のハウジング部分が切開された場合を示す正面図である。
【図３】図２に示す消音器の吸音ユニットの斜視図である。
【図４】図３に示す消音器の吸音ユニットの横断面図である。
【図５】本発明の実施形態による消音器のメンテナンス方法を示すフロチャートである。
【図６】本発明の第１実施形態による消音器のメンテナンス方法の各過程を例示的に示す図である。
【図７】本発明の第２実施形態による消音器のメンテナンス方法の各過程を例示的に示す図である。
【図８】本発明の他の実施形態による消音器の斜視図である。
【図９】本発明の他の実施形態による消音器の一部縦断面図である。
【図１０】図９のＡＡ線に沿った断面図である。
【図１１】図９のＢ部分を拡大した図である。
【図１２】図１１のハウジングの変形例を示す図である。
【図１３】本発明のまた他の実施形態による消音器の断面図である。
【図１４】本発明のまた他の実施形態による消音器の分解斜視図である。
【図１５】図１４に示す消音器の斜視図である。
【図１６】図１４に示す吸音装置の分解斜視図である。
【図１７】図１６に示す吸音装置の断面図である。
【図１８】図１５に示す消音器の断面図である。
【図１９】図１４に示す消音器の反射板のシリンダー内での移動を示す図である。
【図２０】図１４に示す消音器の反射板のシリンダー内での移動を示す図である。
【図２１】本発明のまた他の実施形態による消音器の断面図である。
【図２２】本発明のまた他の実施形態による吸音装置を示す図である。
【図２３】本発明のまた他の実施形態による消音器の断面図である。
【図２４】本発明のまた他の実施形態による消音器の断面図である。
【発明を実施するための形態】
【００３１】
以下、添付した図面を参照して本発明の好ましい実施形態を詳細に説明する。本発明の利点および特徴、並びにこれらを達成する方法は、添付する図面と共に詳細に後述する実施形態を参照すれば明確になるであろう。しかし、本発明は、以下で開示する実施形態に限定されるものではなく、互いに異なる多様な形態で具現でき、本実施形態は単に本発明の開示を完全なものとし、本発明が属する技術分野における通常の知識を有する者に発明の範疇を完全に知らせるために提供されるものであり、本発明は請求項の範疇によってのみ定義される。明細書全体にわたって同一参照符号は同一構成要素を指し示す。
【００３２】
他に定義のない限り、本明細書で使われるすべての用語（技術的および科学的用語を含む）は、本発明が属する技術分野における通常の知識を有する者に共通して理解される意味で使われる。また、一般的に使われる辞典に定義されている用語は、明白に特に定義しない限り理想的にまたは過度に解釈されない。
【００３３】
図２ないし図７を参照して本発明の一実施形態による消音器および消音器のメンテナンス方法について詳細に説明する。
【００３４】
本発明による消音器１００は、騒音を低減させる装置であり、騒音が発生する騒音発生部に設けられて用いられる。騒音発生部は、排気口や換気口などのようなダクトなどであり得る。
【００３５】
消音器１００は、騒音が発生する騒音発生部にハウジング１１０が形成され、ハウジング１１０の内側に吸音装置１２０が形成されて騒音を効果的に低減させることができる。本発明の実施形態による吸音装置１２０は、複数の吸音ユニット１２１で構成される。そのため、吸音装置１２０を清掃したり修理する時メンテナンス作業が非常に便利である。
【００３６】
以下、図２ないし図４を参照して本発明の一実施形態による消音器について具体的に説明する。
【００３７】
図２は本発明の一実施形態による消音器のハウジング部分が切開された正面図であり、図３は図２に示す騒音の吸音ユニットの斜視図であり、図４は図３に示す消音器の吸音ユニットの横断面図である。
【００３８】
本発明による消音器１００は、ハウジング１１０および吸音装置１２０を含んで構成される。
【００３９】
ハウジング１１０は中空型であり、ダクト１０ａ,１０ｂと連通され得る。吸音装置１２０は、ハウジング１１０の内部に着脱可能に結合され、ハウジング１１０の長さ方向に複数の吸音ユニット１２１が連結されてなる。
【００４０】
ダクト１０ａ,１０ｂは、騒音が発生する排気口に連結されて排気ガスと騒音が移動する管路であり、ダクト１０ａ,１０ｂにはハウジング１１０が結合され得る。ダクト１０ａ,１０ｂは、ハウジング１１０の上端と後端に連結される上部ダクト１０ａと下部ダクト１０ｂからなる。ダクト１０ａ,１０ｂにはハウジング１１０と連通されるマンホール１１ａ,１１ｂが形成され、これの詳細については後述する。
【００４１】
ハウジング１１０は、上部ダクト１０ａと下部ダクト１０ｂとの間に固定され、ダクト１０ａ,１０ｂと連動される中空型形状に形成される。ハウジング１１０は、中空型の形状に限定されず、四角形など多様な形状の断面を有し得る。騒音は排気口とダクト２０を介してハウジング１１０の内側に流入され得、ハウジング１１０の内周面に設けられた吸音材１４０ａとハウジング１１０の内部に設けられた吸音装置１２０を介して吸収される。
【００４２】
吸音装置１２０は、排気口の騒音を低減させる装置である。吸音装置１２０は、ハウジング１１０の内部中央部にハウジング１１０の長さ方向に離隔して形成される。吸音装置１２０の両端部に形成される固定ユニット１２７は、ハウジング１１０に形成される固定具１２８とボルト結合部１５０で互いに着脱可能に結合し得る。ただし、ハウジング１１０と吸音装置１２０が結合する方式は、ボルト、ピン、リベットなど多様に決定し得る。ハウジング１１０に流入した騒音は、ウジング１１０の長さ方向に移動して吸音装置１２０に吸収されて効果的に低減できる。吸音装置１２０は、それぞれ分離可能な複数の吸音ユニット１２１が連結されて形成される。
【００４３】
吸音ユニット１２１は、吸音装置１２０をなすユニットであり、複数の吸音ユニット１２１が連結されて吸音装置１２０が形成される。音ユニット１２１は、上端と下端にそれぞれフランジ１２２が形成され得、隣り合う吸音ユニット１２１のフランジ１２２は、結合部材１２３を用いて相互結合し得る。隣り合う吸音ユニット１２１のフランジ１２２間の結合手段としてボルト、ピンなどが用いられるが、これに限定されない。複数の吸音ユニット１２１が結合されて吸音装置１２０を構成するので、吸音装置１２０の製作およびメンテナンスが容易である。
【００４４】
吸音ユニット１２１は、図４に示すように、内部が隔壁で分割されて複数の共鳴空間１２６を形成し得る。吸音ユニット１２１の外周面には共鳴空間１２６と外部とを連通する共鳴穴１２４が形成され得る。すなわち、吸音ユニット１２１は、ハウジング１１０の横断面上に円周方向に互いに隣り合って共鳴空間１２６を形成している複数のヘルムホルツ共鳴器を含み得る。
【００４５】
ヘルムホルツ共鳴器は、小さい穴を持った密閉空間形状に構成された装置である。定常波が小さい穴を介して共鳴器の中に入ると、定常波の波形に対する新たな逆位相形態の振動に変わって共鳴器の外に産出されることにより特定の周波数に対する位相変異が発生して特定定常波が消滅する原理を用い得る。そのため、吸音ユニット１２１は、ハウジング１１０に流入した排気口の騒音をハウジング１１０の横断面上で効果的に低減させることができる。
【００４６】
吸音ユニット１２１は、複数のヘルムホルツ共鳴器を含んで構成される。吸音ユニット１２１の外側面には吸音材１４０ｂが形成され、吸音材１４０ｂを固定させる吸音材ガイド１２５が形成され得る。
【００４７】
吸音材ガイド１２５は、吸音ユニット１２１の外側面に形成される吸音材１４０ｂを固定させ、吸音材１４０ｂの離脱を防止する。
【００４８】
吸音装置１２０は、後述するマンホール１１ａ,１１ｂを介してダクト１０ａ,１０ｂの外に露出して補修が可能な構造を有する。
【００４９】
マンホール１１ａ,１１ｂは、上部マンホール１１ａと下部マンホール１１ｂを含み得る。ハウジング１１０と連通される上部ダクト１０ａと下部ダクト１０ｂに上部マンホール１１ａと下部マンホール１１ｂがそれぞれ形成され、吸音装置１２０は、ハウジング１１０とダクト１０ａ,１０ｂの内部で移動してマンホール１１ａ,１１ｂを介して露出または排出され得る。吸音装置１２０を清掃したり吸音ユニット１２１それぞれを修理するために吸音装置１２０をマンホール１１ａ,１１ｂの位置に移動させ得る。この時、吸音装置１２０の両端部に形成された輪部１２９をウィンチ部２０のワイヤー２１に連結して吸音装置１２０を移動させ得る。吸音装置１２０は、ウィンチ部２０のワイヤー２１に連結されてマンホール１１ａ,１１ｂの位置に移動し得る。排気口に形成された吸音装置１２０にはすす（ｓｏｏｔ）のような異物が生じ得る。このような異物が生じた吸音装置１２０は、ウィンチ部２０が用いられて下部マンホール１１ｂの位置に移動し得る。そして、使用者はマンホール１１ａ,１１ｂの蓋１２を開けて吸音装置１２０の異物を除去し得る。また、吸音ユニット１２１が結合されている結合部材１２３が除去される場合、吸音ユニット１２１それぞれに対する修理または交替が可能になる。そのため、騒音を低減させる消音器１００の性能を均一に維持できる。マンホール１１ａ,１１ｂは、必要時のみ開放して用い得る。
【００５０】
吸音装置１２０をマンホール１１ａ,１１ｂの位置に移動させる時、吸音装置１２０の保護のために吸音装置１２０の両端部に緩衝部材１３０が形成され得る。
【００５１】
緩衝部材１３０は、吸音装置１２０の両端部に形成され得、吸音装置１２０が維持および補修するためにマンホール１１ａ,１１ｂの位置に移動する時、吸音装置１２０とハウジング１１０との間の衝突を防止するために備えられる。
【００５２】
以下、図５ないし図６を参照して本発明の第１実施形態による消音器のメンテナンス方法について詳細に説明する。
【００５３】
図５は消音器のメンテナンス方法を示すフロチャートであり、図６は本発明の第１実施形態による消音器のメンテナンス方法の各過程を例示的に示す図である。
【００５４】
先に、消音器１００のマンホール１１ａ,１１ｂが開放される（Ｓ１６１）。図６の（ａ）に示すように中空型ハウジング１１０の上部と下部にそれぞれ連結されている上部ダクト１０ａと下部ダクト１０ｂに形成された上部マンホール１１ａと下部マンホール１１ｂの蓋１２が開放される。マンホール１１ａ,１１ｂと蓋１２は、ボルト結合されているので、使用者はボルトを除去してマンホール１１ａ,１１ｂの蓋１２を開放し得る。
【００５５】
次に、吸音装置１２０にウィンチ部２０が連結される（Ｓ１６２）。図６の（ｂ）に示すように上部マンホール１１ａを介してハウジング１１０の長さ方向に複数の吸音ユニット１２１が連結されてなる吸音装置１２０にウィンチ部２０が連結される。すなわち、使用者はウィンチ部２０のワイヤー２１を吸音装置１２０の上端部に形成された輪部１２９に連結し得る。ウィンチ部２０は、消音器１０の外部に設けられており、ウィンチ部２０に巻かれているワイヤー２１は吸音装置１２０の輪部１２９に固定され得る。
【００５６】
輪部１２９にワイヤー２１が固定された後、ハウジング１１０と吸音装置１２０が分離する（Ｓ１６３）。すなわち、図６の（ｃ）に示すように吸音装置１２０の両端部に備えられたボルト結合部１１のボルトが除去される。この時、ボルトが除去されれば吸音装置１２０はハウジング１１０に連結されておらず、ウィンチ部２０の連結によってハウジング１１０の内側に位置する。
【００５７】
次に、吸音装置１２０のウィンチ部２０が解けることによって吸音装置１２０が下降する（Ｓ１６４）。図６の（ｄ−１）に示すようにウィンチ部２０が用いられて吸音装置１２０がマンホール２１が位置している下部ダクト１０ｂまで下降すれば、使用者は下部マンホール１１ｂで吸音ユニット１２１を移動させながら清掃できる。使用者はウィンチ部２０を解けながら吸音装置１２０を断続的に下降させて吸音ユニット１２１を清掃できる。
【００５８】
最後に、下部マンホール１１ｂに位置した吸音ユニット１２１に対する清掃または補修が行われた後に吸音ユニット１２１が下降し、その次に吸音ユニット１２１に対する清掃または補修が行われる（Ｓ１６６）。このような過程が繰り返されて吸音ユニット１２１の首１２４に挟まった異物が除去され得る。
【００５９】
以下、図７を参照して本発明の第２実施形態による消音器のメンテナンス方法について詳細に説明する。
【００６０】
図７は本発明の第２実施形態による消音器のメンテナンス方法の各過程を例示的に示す図である。
【００６１】
本発明の第２実施形態による消音器１００のメンテナンス方法は、吸音ユニット１２１が排出される段階（Ｓ１６５）を除けば、すでに説明した第１実施形態と事実上同様である。したがって、すでに説明したメンテナンス方法については、同じ参照符号を付けて具体的な説明は省略する。
【００６２】
本発明の第２実施形態による消音器１００のメンテナンス方法は、吸音装置１２０が下部マンホール１１ｂの位置に下降した後に下部マンホール１１ｂで吸音ユニット１２１が排出される段階を（Ｓ１６５）含む。
【００６３】
吸音ユニット１２１が排出される段階（Ｓ１６５）は、下部マンホール１１ｂの位置に下降した吸音装置１２０で吸音ユニット１２１の結合部材１２３が除去されて吸音ユニット１２１それぞれが下部マンホール１１ｂを介して外部に排出される段階を含み得る。使用者は吸音ユニット１２１を外部に取り出して吸音ユニット１２１それぞれを修理するかまたは故障した吸音ユニット１２１を交替できる。
【００６４】
吸音装置１２０に異常が生じる場合、吸音装置１２０全体を交替せず、吸音ユニット１２１の各部分を交替するか修理するため、メンテナンスが簡便である。
【００６５】
本発明は吸音装置１２０がユニットの構造で形成された点と、ダクト１０ａ,１０ｂにマンホール１１ａ,１１ｂが形成されることによって騒音を効果的に低減させ、消音器１００のメンテナンスが便利である。
【００６６】
以下、図８ないし図２２を介して本発明の他の実施形態による消音器を説明する。他の実施形態による消音器も図５ないし図７に示す方式でメンテナンスできる。
【００６７】
図８は本発明の他の実施形態による消音器の斜視図であり、図９は本発明の他の実施形態による消音器の一部縦端面図であり、図１０は図９のＡＡ線に沿った断面図であり、図１１は図９のＢ部分を拡大した図である。
【００６８】
図８および図９を参照すれば、消音器２００は、ハウジング２１０と吸音装置２２０を含み、騒音発生部（図示せず）と結合して騒音発生部の騒音を減少させる。
【００６９】
例えば、騒音発生部は配管であり得る。この時、配管は排気管などとして用いられるが、これに限定されない。以下、本実施形態による消音器２００が適用される騒音発生部は排気管であると仮定して説明する。
【００７０】
本実施形態で排気管騒音は、図９から見る時、ハウジング２１０の左側入口に流入されて右側出口に排出されると仮定する。
【００７１】
本実施形態で消音器２００と結合する排気管は、主に低周波騒音成分が支配的であり、消音器２００は、排気管の低周波騒音成分を減少させる構造を有する。
【００７２】
ハウジング２１０は排気管に結合する。本実施形態によるハウジング２１０は、排気管とフランジ結合し得る。ハウジング２１０は中空形状を有する。排気管騒音はハウジング２１０に流入する。
【００７３】
一例として、ハウジング２１０は、図１０のように円形断面を有し得る。他の例として、ハウジング２１０は、図１２のように四角形断面を有し得る。参考までに、図１２は図１０のハウジング２１０の一変形例を示す図である。その他にもハウジングは多様な形状の断面を有し得る。
【００７４】
図９および図１０を参照すれば、ハウジング２１０の内側面には吸音材２１１が形成され得る。ハウジング２１０の内側面に形成された吸音材２１１は、排気管騒音のうち高周波成分を吸収して熱に変換させることによって騒音を低減させる。
【００７５】
ハウジング２１０の内部には吸音装置２２０が配置される。本実施形態で吸音装置２２０は、排気管騒音の低周波成分を低減させることができる。
【００７６】
吸音装置２２０は、ハウジング２１０の内部中央領域に配置され得、ハウジング２１０の内側面と離隔して配置され得る。吸音装置２２０は、別途の支持部材（図示せず）によりハウジング２１０の内側面に支持され得る。
【００７７】
吸音装置２２０はハウジング２１０の長さ方向に延長形成される。ハウジング２１０に流入した排気管騒音は、ハウジング２１０の長さ方向に移動して吸音装置２２０に吸収されて効果的に低減できる。
【００７８】
図９および図１１を参照すれば、吸音装置２２０は、ハウジング２１０の長さ方向に相互結合され、ヘルムホルツ共鳴を用いて騒音を低減させる複数の吸音ユニット２３０を含む。ヘルムホルツ共鳴を用いる場合、排気管騒音のうち低周波成分を効果的に吸収できる。
【００７９】
一例として、吸音ユニット２３０は、隣り合う他の吸音ユニット２３０とフランジ結合し得る。この場合、吸音ユニット２３０の両側端部にフランジ２３１が形成され、隣り合う吸音ユニット２３０のフランジ２３１はボルトＢおよびナットＮにより相互結合し得る。このように吸音ユニット２３０が他の吸音ユニット２３０とフランジ結合する構造を有する場合、吸音装置２２０の製作、メンテナンスが容易である。
【００８０】
本実施形態で吸音ユニット２３０は、図１０のようにハウジング２１０の横断面上に円周方向に互いに隣り合って相互結合する複数のヘルムホルツ共鳴器２４０を含み得る。
【００８１】
ヘルムホルツ共鳴器２４０は、空気を特定周波数で共振させて音を吸収する装置である。例えば、ヘルムホルツ共鳴器２４０は、入口が狭い壷形状を有する。このようなヘルムホルツ共鳴器２４０は、ハウジング２１０の横断面上に時計回りまたは反時計回りに互いに隣り合って相互結合する。この場合、吸音ユニット２３０は、ハウジング２１０に流入した排気管騒音をハウジング２１０の横断面上で効果的に吸収できる。
【００８２】
一例として、図１０を参照すれば、吸音ユニット２３０は円形横断面を有するハウジング２１０に対応して円形横断面を有し得る。他の例として、図１２を参照すれば、吸音ユニット２６０は四角形横断面を有するハウジング２５０に対応して四角形横断面を有し得る。ハウジング２５０の内部面には吸音材２５１が備えられ得る。
【００８３】
ヘルムホルツ共鳴器２４０の外側面には吸音材２４１が形成され得る。この場合、ヘルムホルツ共鳴器２４０の騒音減少性能を改善できる。
【００８４】
他の実施形態に示していないが、吸音ユニットは、単一のヘルムホルツ共鳴器で構成され得る。
【００８５】
図９を参照すれば、吸音ユニット２３０は、隣り合う他の吸音ユニット２３０と同一であるか、他の音域帯の騒音を低減させることができる。
【００８６】
一例として、吸音ユニット２３０がすべて異なる音域帯の騒音を低減させることができる。
【００８７】
他の例として、吸音ユニット２３０は、すべて同一の音域帯の騒音を低減させることができる。
【００８８】
また他の例として、吸音ユニット２３０は、それぞれ低減させる騒音の音域帯別に分類された複数のグループ中のいずれか一つに属し、各グループは、ハウジング２１０の長さ方向に他のグループと隣り合って配置され得る。
【００８９】
図９を参照すれば、ハウジング２１０の入口に近い吸音装置２２０の前端とハウジング２１０の出口に近い吸音装置２２０の後端にはそれぞれ角形状のガイド部材２７１，２７２が設けられ得る。
【００９０】
吸音装置２２０の前端に設けられたガイド部材２７１は、ハウジング２１０の入口に流入した空気がハウジング２１０の横断面上で均等に広がるようにガイドする。
【００９１】
吸音装置２２０の後端に設けられたガイド部材２７２は、ハウジング２１０の内部で移動する排気管騒音がハウジング２１０の出口を介して円滑に排出されるようにガイドする。
【００９２】
ガイド部材２７１，２７２の外側面には吸音材（図示せず）が形成され得る。
【００９３】
一方、本実施形態で消音器２００を構成する吸音ユニット２３０は、ヘルムホルツ共鳴を用いて排気管の低周波騒音を低減する。
【００９４】
他の実施形態で、消音器２００は、排気管の他に別の用途で用いられる配管に適用できる。この時、消音器２００を構成する吸音ユニットは、該当配管の騒音特性に合わせてヘルムホルツ共鳴でない他の方式で配管の騒音を低減できる。この場合にも、ハウジング２１０に流入した配管騒音は、ハウジング２１０の長さ方向に相互結合された吸音ユニットによって効果的に低減できる。
【００９５】
図１３は本発明のまた他の実施形態による消音器の断面図である。
【００９６】
図１３を参照すれば、消音器２０１は、ハウジング２１０、吸音装置２２０およびサイドブランチ共鳴器２８０を含み得る。
【００９７】
中空形状のハウジング２１０は、排気管とフランジ結合し得る。排気管騒音は、ハウジング２１０に流入し得る。吸音装置２２０は、ハウジング２１０の内部に備えられ得る。吸音装置２２０は、排気管騒音の低周波成分を低減させることができる。吸音装置２２０は、複数の吸音ユニット２３０を含み得る。ハウジング２１０および吸音装置２２０については前述したので、詳しい説明は省略する。
【００９８】
サイドブランチ共鳴器２８０は、ハウジング２１０の内側面に沿って形成され得る。サイドブランチ共鳴器２８０は、ハウジング２１０の内部に流入した騒音を低減させる役割をする。サイドブランチ共鳴器２８０は、シリンダー２８１を含み得る。シリンダー２８１は、ハウジング２１０の内側面に沿って形成され得る。
【００９９】
シリンダー２８１とハウジング２１０との間には共鳴空間２８２が形成され得る。ハウジング２１０の内部に流入した騒音は、シリンダー２８１に形成された共鳴穴２８３を介して共鳴空間２８２に流入して変換し、変換された音波が共鳴穴２８３を介して流出されて騒音を相殺させ得る。
【０１００】
吸音装置２２０を対向するシリンダー２８１の一側面には吸音材２８１ａが備えられ得る。吸音材２８１ａは、ハウジング２１０の内部に流入した騒音を一部減少させることができる。
【０１０１】
図１４は本発明のまた他の実施形態による消音器の分解斜視図であり、図１５は図１４に示す消音器の斜視図である。
【０１０２】
図１４および図１５を参照すれば、本発明のまた他の実施形態による消音器３００は、ハウジング３１０、吸音装置３２０および調節装置３３０を含んで構成される。
【０１０３】
ハウジング３１０は、中空型としてダクトに連通され得る。そのため、ダクトを介して移送される流体はハウジング３１０の中空穴Ｈ１を介して移送され得る。
【０１０４】
ハウジング３１０は、本体３１１およびフランジ３１２を含んで構成される。本体３１１の内部には中空穴Ｈ１が形成され得る。フランジ３１２は、ハウジング３１０の両側開放面の端に沿って形成され得る。フランジ３１２は、ダクトとの結合に用いられる。例えば、フランジ３１２は、ダクトとボルト結合し得る。フランジ３１２がダクトと結合することによってハウジング３１０とダクトが連通できるようになる。
【０１０５】
吸音装置３２０は、ハウジング３１０の内部に備えられ、ハウジング３１０の内部に流入した流体による騒音を低減させる役割をする。特に、本発明の実施形態による吸音装置３２０は、ハウジング３１０の内部に流入する騒音のうち特定周波数を有する騒音の逆位相音を発生させて騒音を低減させることができる。
【０１０６】
吸音装置３２０は、ハウジング３１０内部の騒音によって逆位相音を発生させるが、吸音装置３２０は逆位相音の周波数を調節できる。そのため、吸音装置３２０によって出力された逆位相音の周波数に対応する騒音が集中的に低減できる。
【０１０７】
吸音装置３２０は、結合ラグ３２６を含み得る。結合ラグ３２６は、ハウジング３１０の内部に備えられた固定ラグ３１３とボルト結合し得る。結合ラグ３２６は、吸音装置３２０の外側方向に突出して形成され、ハウジング３１０の固定ラグ３１３は、結合ラグ３２６との結合位置に備えられ得る。
【０１０８】
外側方向に突出形成された結合ラグ３２６がハウジング３１０の固定ラグ３１３とボルト結合することによって、吸音装置３２０は、ハウジング３１０の内部面で一定の距離だけ離隔した状態を維持できる。ハウジング３１０に流入した流体は、吸音装置３２０の外部面とハウジング３１０の内部面との間に形成された空間を介して移送され得る。
【０１０９】
吸音装置３２０の詳しい構成については、図１６を参照して後述する。
【０１１０】
調節装置３３０は、逆位相音の周波数を調節する役割をする。吸音装置３２０は、音波を反射させる反射板３２４（図１６参照）が備えられるが、調節装置３３０によって反射板３２４の位置が変更されることで、音波の周波数が調節され得る。調節装置３３０による反射板３２４の位置変更に対する詳しい説明は、図１９および図２０を参照して後述する。
【０１１１】
調節装置３３０は、取っ手３３１およびピニオンギヤ３３２を含み得る。ピニオンギヤ３３２は、取っ手３３１の一側面で外側方向に突出形成され得る。
【０１１２】
ピニオンギヤ３３２は、ハウジング３１０の内部に挿入され、取っ手３３１は、ハウジング３１０の外部に備えられ得る。ピニオンギヤ３３２の挿入のためにハウジング３１０には挿入穴が備えられ得る。
【０１１３】
取っ手３３１を回転させることによって、ピニオンギヤ３３２が回転できる。ピニオンギヤ３３２は、吸音装置３２０の反射板３２４に連結された位置調節ロード３２５（図１６参照）とギア結合して位置調節ロード３２５の位置調節に用いることができる。ピニオンギヤ３３２によって位置調節ロード３２５の位置が変更されることで、吸音装置３２０内での反射板３２４の位置が変更され得る。
【０１１４】
図１６は図１４に示す吸音装置の分解斜視図であり、図１７は図１６に示す吸音装置の断面図である。
【０１１５】
図１６を参照すれば、吸音装置３２０は、シリンダー３２１、密閉型キャップ３２２、開放型キャップ３２３、反射板３２４および位置調節ロード３２５を含んで構成される。
【０１１６】
シリンダー３２１は、中空穴Ｈ２を備える。シリンダー３２１は、ハウジング３１０の内部に対応する形状を有し得る。例えば、ハウジング３１０の内部が円筒形状である場合、シリンダー３２１の外形も円筒形状であり得る。しかし、これは例示的なものであり、ハウジング３１０の内部形状とは関係なくシリンダー３２１の外形は多様に決定し得る。
【０１１７】
図１７を参照すれば、シリンダー３２１の外部面には吸音材３２１ａが備えられる。ハウジング３１０に流入した流体は、吸音装置３２０の外部面とハウジング３１０の内部面との間に形成された空間を介して移送されるが、シリンダー３２１に備えられた吸音材３２１ａによって騒音が減少できる。
【０１１８】
再び図１６を説明すれば、密閉型キャップ３２２は、シリンダー３２１の一側開放面（以下、第１開放面という）を密閉する役割をする。シリンダー３２１は２個の開放面を含むが、第１開放面が密閉型キャップ３２２によって密閉され得る。
【０１１９】
開放型キャップ３２３は、シリンダー３２１の他の一側開放面（以下、第２開放面という）に離隔して配置され得る。開放型キャップ３２３が第２開放面に離隔して配置されることによって、シリンダー３２１の内部空間は外部に連結され得る。
【０１２０】
密閉型キャップ３２２および開放型キャップ３２３には結合ラグ３２６が備えられ得る。前述したとおり、結合ラグ３２６は、ハウジング３１０の固定ラグ３１３に結合されて吸音装置３２０をハウジング３１０に固定させるのに用いられる。
【０１２１】
ハウジング３１０の内部で発生した騒音は、第２開放面を介してシリンダー３２１の内部に流入し得る。そして、シリンダー３２１の内部に流入した騒音は、シリンダー３２１の内部面に反射して逆位相音に変換され、逆位相音は、第２開放面を介して流出できる。このような方式で発生した逆位相音は、ハウジング３１０の内部で発生した騒音を減殺させることができる。
【０１２２】
反射板３２４は、シリンダー３２１の内部に備えられ、シリンダー３２１の内部に流入した音波を反射させる役割をする。シリンダー３２１の内部に流入した音波は、シリンダー３２１の内部面だけでなく反射板３２４にも反射し得る。シリンダー３２１の内部面および反射板３２４に反射した音波は、騒音の逆位相音に転換できる。
【０１２３】
シリンダー３２１の内部で反射板３２４の位置は調節し得る。反射板３２４の位置が調節される場合、反射板３２４と第２開放面との間の距離が変わるが、その距離に応じて逆位相音の周波数が変わり得る。
【０１２４】
反射板３２４の位置調節のために反射板３２４には位置調節ロード３２５が備えられ得る。位置調節ロード３２５は、流体の移送方向に長く形成されて反射板３２４に固定され得る。
【０１２５】
前述した調節装置３３０は、位置調節ロード３２５に力を加えてシリンダー３２１内部での反射板３２４の位置を調節できる。本発明で位置調節ロード３２５はラックギヤを含み得る。ラックギヤは、調節装置３３０のピニオンギヤ３３２とギア結合し得る。ピニオンギヤ３３２の回転によって位置調節ロード３２５は長さ方向にその位置が変更され得る。位置調節ロード３２５の位置が変更されることによって、シリンダー３２１内での反射板３２４の位置が調節され得る。
【０１２６】
図１８は図１４に示す消音器の断面図である。
【０１２７】
図１８を参照すれば、吸音装置３２０は、ハウジング３１０の内部に備えられ得る。吸音装置３２０の結合ラグ３２６とハウジング３１０の固定ラグ３１３がボルト結合され、吸音装置３２０はハウジング３１０に固定され得る。
【０１２８】
結合ラグ３２６が吸音装置３２０の外側方向に突出し、固定ラグ３１３がハウジング３１０の内側方向に突出することによって、吸音装置３２０はハウジング３１０の内部面に対して離隔した状態を維持できる。
【０１２９】
ハウジング３１０の内部面およびシリンダー３２１の外部面には吸音材３１１ａ,３２１ａが備えられ得る。ハウジング３１０の内部を移送する流体による騒音は、吸音材３１１ａ,３２１ａによって減少できる。
【０１３０】
開放型キャップ３２３の内側面には吸音材３２３ａが備えられ得る。吸音材３２３ａは、シリンダー３２１の第２開放面を介して流出する逆位相音の一部を吸収する役割をする。シリンダー３２１で流出する逆位相音が開放型キャップ３２３によって反射する場合、反射音は、騒音を増幅させ得る。吸音材３２３ａが逆位相音の反射を抑制することによって騒音の増幅が防止できる。
【０１３１】
ハウジング３１０の内部に形成された騒音は、シリンダー３２１の第２開放面を介してシリンダー３２１の内部に流入し得る。流入した騒音は、シリンダー３２１の内部で反射して騒音の位相に反対の位相を有する逆位相音に転換され得る。逆位相音は、第２開放面を介して再び外部に流出され、流出した逆位相音は騒音と衝突して騒音の大きさを減殺させることができる。
【０１３２】
ハウジング３１０の内部でピニオンギヤ３３２と位置調節ロード３２５はギア結合し得る。そのため、ピニオンギヤ３３２が回転することによって位置調節ロード３２５の位置が変更され得る。具体的には、ピニオンギヤ３３２の回転によって、位置調節ロード３２５は流体移送方向に平行するように位置が変更され得る。
【０１３３】
図１９および図２０は図１４に示す消音器の反射板のシリンダー内での移動を示す図である。
【０１３４】
図１９および図２０を参照すれば、シリンダー３２１内部での反射板３２４の位置が調節され得る。
【０１３５】
位置調節ロード３２５の位置変更によって反射板３２４の位置が調節され得る。具体的には、反射板３２４は、ハウジング３１０内部での流体の移送方向に平行するように位置が調節され得る。
【０１３６】
シリンダー３２１の内部に流入した騒音は、シリンダー３２１の内壁および反射板３２４によって反射して逆位相音ＳＷ１，ＳＷ２に転換されるが、反射板３２４の位置が変更されることによって、逆位相音ＳＷ１，ＳＷ２の周波数が変更され得る。
【０１３７】
使用者は取っ手３３１を用いてピニオンギヤ３３２を回転させて反射板３２４の位置を調節できる。反射板３２４の位置が調節されることによって互いに異なる周波数の逆位相音ＳＷ１，ＳＷ２が発生して該当周波数の騒音を集中的に減殺させることができる。例えば、使用者は現在の発生している騒音のうち最も大きい大きさを有する騒音を減殺させるために反射板３２４の位置を調節し得る。
【０１３８】
図２１は本発明のまた他の実施形態による消音器の断面図である。
【０１３９】
図２１を参照すれば、消音器４００は、ハウジング４１０、吸音装置４２０および調節装置４３０ａ、４３０ｂを含んで構成される。
【０１４０】
ハウジング４１０は、中空型としてダクトに連通され得る。吸音装置４２０は、ハウジング４１０の内部に備えられ、ハウジング４１０の内部に流入した流体による騒音を低減させることができる。調節装置４３０ａ、４３０ｂは、逆位相音の周波数を調節する役割をする。ハウジング４１０、吸音装置４２０および調節装置４３０ａ、４３０ｂの形態および機能は、前述したハウジング３１０、吸音装置３２０および調節装置３３０の形態および機能と同一であるか類似するため、差異点を中心に説明する。
【０１４１】
吸音装置４２０は、シリンダー４２１、第１開放型キャップ４２２ａ、第２開放型キャップ４２２ｂ、第１反射板４２３ａ、第２反射板４２３ｂ、第１位置調節ロード４２４ａおよび第２位置調節ロード４２４ｂを含んで構成される。
【０１４２】
シリンダー４２１は中空穴を備え得る。シリンダー４２１はハウジング４１０の内部に対応する形状を有し得る。
【０１４３】
第１開放型キャップ４２２ａおよび第２開放型キャップ４２２ｂは、シリンダー４２１の互いに異なる一側開放面（第１開放面および第２開放面）に離隔して配置され得る。第１開放型キャップ４２２ａおよび第２開放型キャップ４２２ｂがそれぞれ第１開放面および第２開放面に離隔して配置されることによって、シリンダー４２１の内部空間は外部に連結され得る。
【０１４４】
第１開放型キャップ４２２ａおよび第２開放型キャップ４２２ｂには結合ラグが備えられ得る。前述したように、結合ラグはハウジング４１０の固定ラグに結合されて吸音装置４２０をハウジング４１０に固定させるのに用いられる。
【０１４５】
ハウジング４１０の内部で発生した騒音は、第１開放面および第２開放面を介してシリンダー４２１の内部に流入し得る。そして、シリンダー４２１の内部に流入した騒音は、シリンダー４２１の内部面に反射して逆位相音に変換され、逆位相音は、第２開放面を介して流出し得る。このような方式で発生した逆位相音は、ハウジング４１０の内部で発生した騒音を減殺させることができる。
【０１４６】
第１反射板４２３ａおよび第２反射板４２３ｂは、シリンダー４２１の内部に備えられ、シリンダー４２１の内部に流入した音波を反射させる役割をする。シリンダー４２１の内部に流入した音波は、シリンダー４２１の内部面だけでなく第１反射板４２３ａおよび第２反射板４２３ｂにも反射され得る。
【０１４７】
第１開放面に流入した騒音は、シリンダー４２１の内部面および第１反射板４２３ａに反射して騒音の逆位相音に転換され得る。これと同様に、第２開放面に流入した騒音は、シリンダー４２１の内部面および第２反射板４２３ｂに反射して騒音の逆位相音に転換され得る。
【０１４８】
シリンダー４２１の内部で第１反射板４２３ａおよび第２反射板４２３ｂの位置は調節され得る。第１反射板４２３ａおよび第２反射板４２３ｂの位置が調節される場合、第１反射板４２３ａと第１開放面との間の距離が変わったり、第２反射板４２３ｂと第２開放面との間の距離が変わり得る。反射板と開放面との間の距離に応じて逆位相音の周波数が変わり得る。
【０１４９】
第１反射板４２３ａおよび第２反射板４２３ｂの位置調節のために第１反射板４２３ａおよび第２反射板４２３ｂには第１位置調節ロード４２４ａおよび第２位置調節ロード４２４ｂがそれぞれ備えられ得る。第１位置調節ロード４２４ａおよび第２位置調節ロード４２４ｂは、流体の移送方向に長く形成され、第１反射板４２３ａおよび第２反射板４２３ｂにそれぞれ固定され得る。
【０１５０】
調節装置４３０ａ、４３０ｂは、第１調節装置４３０ａおよび第２調節装置４３０ｂを含み得る。第１調節装置４３０ａは、第１位置調節ロード４２４ａに力を加えてシリンダー４２１内部での第１反射板４２３ａの位置を調節し得る。これと同様に、第２調節装置４３０ｂは、第２位置調節ロード４２４ｂに力を加えてシリンダー４２１内部での第２反射板４２３ｂの位置を調節し得る。本発明で第１位置調節ロード４２４ａおよび第２位置調節ロード４２４ｂはラックギヤを含み得る。ラックギヤは、調節装置４３０ａ、４３０ｂのピニオンギヤとギア結合し得る。ラックギヤとピニオンギヤとの間の動作関係については前述したので、詳しい説明は省略する。
【０１５１】
シリンダー４２１の内部で第１反射板４２３ａおよび第２反射板４２３ｂの位置は、独立的に決定し得る。そのため、第１開放面および第２開放面を介して互いに異なる周波数の逆位相音が流出され得る。
【０１５２】
図２２は本発明のまた他の実施形態による吸音装置を示す図である。
【０１５３】
図２２を参照すれば、吸音装置５００は、シリンダー５１０および密閉型キャップ５２０を含んで構成される。
【０１５４】
シリンダー５１０は中空穴を備え得る。シリンダー５１０は、ハウジングの内部に対応する形状を有し得る。シリンダー５１０の表面には内部中空穴に連結された共鳴穴ＲＨが備えられ得る。シリンダー５１０の内部には隔壁が備えられ、隔壁によって共鳴穴ＲＨに対応する共鳴空間が形成され得る。すなわち、一つの共鳴穴ＲＨに対応する一つの共鳴空間が形成され得る。
【０１５５】
共鳴穴ＲＨを介して共鳴空間に騒音が流入し得る。流入した騒音は、共鳴空間で反射して逆位相音に転換され、逆位相音は共鳴穴ＲＨを介して外部に流出され得る。
【０１５６】
密閉型キャップ５２０は、シリンダー５１０の両側開放面を密閉する役割をする。シリンダー５１０は２個の開放面を含むが、２個の開放面が密閉型キャップ５２０によって密閉され得る。そのため、シリンダー５１０の内部は共鳴穴ＲＨを介してのみ外部と連結され得る。図２２に示す吸音装置５００はヘルムホルツ共鳴器を含み得る。
【０１５７】
図２３および図２４は本発明のまた他の実施形態による消音器の断面図である。
【０１５８】
図２３を参照すれば、消音器６００は、ハウジング６１０、吸音装置３２０，５００および調節装置６２０を含んで構成される。
【０１５９】
ハウジング６１０は、中空型としてダクトに連通され得る。吸音装置３２０，５００は、ハウジング６１０の内部に備えられ、ハウジング６１０の内部に流入した流体による騒音を低減させる役割をする。
【０１６０】
ハウジング６１０には図１６に示す吸音装置（以下、第１吸音装置という）３２０および図２２に示す吸音装置（以下、第２吸音装置という）５００が備えられ得る。
【０１６１】
第１吸音装置３２０は、反射板３２４を備え、互いに異なる周波数の逆位相音を流出し得る。第２吸音装置５００はヘルムホルツ共鳴器であり得る。
【０１６２】
調節装置６２０は、第１吸音装置３２０で流出する逆位相音の周波数を調節する役割をする。第１吸音装置３２０は、音波を反射させる反射板３２４を備えるが、調節装置６２０によって反射板３２４の位置が変更されることで、音波の周波数が調節され得る。
【０１６３】
調節装置６２０は取っ手６２１およびピニオンギヤ６２２を含み得る。ピニオンギヤ６２２は、ハウジング６１０の内部に挿入され、取っ手６２１は、ハウジング６１０の外部に備えられ得る。取っ手６２１を回転させることによって、ピニオンギヤ６２２が回転できる。ピニオンギヤ６２２は、第１吸音装置３２０の反射板３２４に連結された位置調節ロード３２５とギア結合して位置調節ロード３２５の位置調節に用いられ得る。ピニオンギヤ６２２によって位置調節ロード３２５の位置が変更されることで、第１吸音装置３２０内での反射板３２４の位置が変更され得る。
【０１６４】
図２４を参照すれば、消音器７００は、ハウジング７１０、吸音装置７２１，７２２および調節装置７３０を含んで構成される。
【０１６５】
ハウジング７１０は、中空型としてダクトに連通され得る。吸音装置７２１，７２２は、ハウジング７１０の内部に備えられ、ハウジング７１０の内部に流入した流体による騒音を低減させる役割をする。
【０１６６】
吸音装置７２１，７２２は、第３吸音装置７２１および第４吸音装置７２２を含み得る。第３吸音装置７２１は、反射板７３４を備え、互いに異なる周波数の逆位相音を流出し得る。第４吸音装置７２２はヘルムホルツ共鳴器であり得る。
【０１６７】
第３吸音装置７２１および第４吸音装置７２２は、一体型で構成される。一つの本体に第３吸音装置７２１および第４吸音装置７２２が備えられ得る。第３吸音装置７２１および第４吸音装置７２２の形態および機能は、前述した第１吸音装置３２０および第２吸音装置５００の形態および機能と類似するので、詳しい説明は省略する。
【０１６８】
調節装置７３０は、取っ手７３１およびピニオンギヤ７３２を含み得る。ピニオンギヤ７３２は、ハウジング７１０の内部に挿入され、取っ手７３１はハウジング７１０の外部に備えられ得る。取っ手７３１を回転させることによって、ピニオンギヤ７３２が回転できる。ピニオンギヤ７３２は、第３吸音装置７２１の反射板７３４に連結された位置調節ロード７３５とギア結合して位置調節ロード７３５の位置調節に用いられる。ピニオンギヤ７３２によって位置調節ロード７３５の位置が変更されることで第３吸音装置７２１内での反射板７３４の位置が変更され得る。
【０１６９】
以上、添付した図面を参照して本発明の実施形態について説明したが、本発明が属する技術分野における通常の知識を有する者は、本発明がその技術的思想や必須の特徴を変更せず、他の具体的な形態で実施できることを理解することができる。したがって、上記一実施形態は、すべての面で例示的なものであり、限定的なものではないと理解しなければならない。
【符号の説明】
【０１７０】
１０ａ  ダクト
１０ｂ  ダクト
１１ａ  マンホール
１１ｂ  マンホール
１２    蓋
２０    ウィンチ部
２１    ワイヤー
１００    消音器
１１０    ハウジング
１２０    吸音装置
１２１    吸音ユニット
１２２    フランジ
１２３    結合部材
１２４    共鳴穴
１２５    吸音材ガイド
１２６    共鳴空間
１２７    固定ユニット
１２８    固定具
１２９    輪部
１３０    緩衝部材
１４０ａ  吸音材
１４０ｂ  吸音材
【図１】
2019534414.tif 000003
【図２】
2019534414.tif 000004
【図３】
2019534414.tif 000005
【図４】
2019534414.tif 000006
【図５】
2019534414.tif 000007
【図６】
2019534414.tif 000008
【図７】
2019534414.tif 000009
【図８】
2019534414.tif 000010
【図９】
2019534414.tif 000011
【図１０】
2019534414.tif 000012
【図１１】
2019534414.tif 000013
【図１２】
2019534414.tif 000014
【図１３】
2019534414.tif 000015
【図１４】
2019534414.tif 000016
【図１５】
2019534414.tif 000017
【図１６】
2019534414.tif 000018
【図１７】
2019534414.tif 000019
【図１８】
2019534414.tif 000020
【図１９】
2019534414.tif 000021
【図２０】
2019534414.tif 000022
【図２１】
2019534414.tif 000023
【図２２】
2019534414.tif 000024
【図２３】
2019534414.tif 000025
【図２４】
2019534414.tif 000026
【国際調査報告】
2019534414.tif 000027
2019534414.tif 000028
2019534414.tif 000029
2019534414.tif 000030